(57)【要約】【課題】  この発明は、自己の印刷物を誤って取り去った他人が誰かを推定できるようになるプリンタを提供することを目的とする。【解決手段】  ネットワークを介して複数のＰＣが接続され、ＰＣからの印刷指令に基づいて印刷ジョブを実行するプリンタにおいて、印刷物の排出トレイ、排出トレイから印刷物が取り除かれたことを検出する検出手段、印刷ジョブ毎に得られるジョブ受付時刻、ジョブ完了時刻ならびにＰＣ名および／またはＰＣユーザ名と、検出手段によって排出トレイから印刷物が取り除かれたことが検出された時刻とを履歴情報として不揮発性メモリに記憶させる手段、履歴情報表示指令を入力させるための入力手段、ならびに履歴情報表示指令が入力されたときに、不揮発性メモリに記憶されている履歴情報を表示させる手段を備えている。【選択図】  図１
2005205768.tif 000002
【特許請求の範囲】
【請求項１】
ネットワークを介して複数のＰＣが接続され、ＰＣからの印刷指令に基づいて印刷ジョブを実行するプリンタにおいて、
印刷物の排出トレイ、
排出トレイから印刷物が取り除かれたことを検出する検出手段、
印刷ジョブ毎に得られるジョブ受付時刻、ジョブ完了時刻ならびにＰＣ名および／またはＰＣユーザ名と、検出手段によって排出トレイから印刷物が取り除かれたことが検出された時刻とを履歴情報として不揮発性メモリに記憶させる手段、
履歴情報表示指令を入力させるための入力手段、ならびに
履歴情報表示指令が入力されたときに、不揮発性メモリに記憶されている履歴情報を表示させる手段、
を備えていることを特徴とするプリンタ。
【請求項２】
複写ジョブを開始するに際してユーザ名の入力を要求する機能を備えた複写機において、
複写物の排出トレイ、
排出トレイから複写物が取り除かれたことを検出する検出手段、
複写ジョブ毎に得られるジョブ開始時刻、ジョブ完了時刻ならびにユーザ名と、検出手段によって排出トレイから複写物が取り除かれたことが検出された時刻とを履歴情報として不揮発性メモリに記憶させる手段、ならびに
履歴情報表示指令を入力させるための入力手段、
履歴情報表示指令が入力されたときに、不揮発性メモリに記憶されている履歴情報を表示させる手段、
を備えていることを特徴とする複写機。
【請求項３】
複写ジョブを開始するに際して部門名の入力を要求する機能を備えた複写機において、
複写物の排出トレイ、
排出トレイから複写物が取り除かれたことを検出する検出手段、
複写ジョブ毎に得られるジョブ開始時刻、ジョブ完了時刻ならびに部門名と、検出手段によって排出トレイから複写物が取り除かれたことが検出された時刻とを履歴情報として不揮発性メモリに記憶させる手段、
履歴情報表示指令を入力させるための入力手段、ならびに
履歴情報表示指令が入力されたときに、不揮発性メモリに記憶されている履歴情報を表示させる手段、
を備えていることを特徴とする複写機。
【発明の詳細な説明】
【技術分野】
【０００１】
この発明は、プリンタおよび複写機に関する。
【背景技術】
【０００２】
ある１台のプリンタに対して、複数のＰＣから印刷指令を出力できるような環境下においては、あるＰＣユーザが自己の印刷物（自己が印刷指令を出力することによって印刷された印刷物）を取りに行ったときに、他人によって当該印刷物が誤って取り去られてしまっているといったことが起こり得る。
【０００３】
このような場合、自己の印刷物を誰が誤って取り去ったのかを知ることができないため、他人に誤って取り去られた自己の印刷物を取り戻すことは困難であった。
【特許文献１】特開平５−２９４５４７号公報
【特許文献２】特開２０００−２４６９９６号公報
【発明の開示】
【発明が解決しようとする課題】
【０００４】
この発明は、自己の印刷物を誤って取り去った他人が誰かを推定できるようになるプリンタおよび複写機を提供することを目的とする。
【課題を解決するための手段】
【０００５】
請求項１に記載の発明は、ネットワークを介して複数のＰＣが接続され、ＰＣからの印刷指令に基づいて印刷ジョブを実行するプリンタにおいて、印刷物の排出トレイ、排出トレイから印刷物が取り除かれたことを検出する検出手段、印刷ジョブ毎に得られるジョブ受付時刻、ジョブ完了時刻ならびにＰＣ名および／またはＰＣユーザ名と、検出手段によって排出トレイから印刷物が取り除かれたことが検出された時刻とを履歴情報として不揮発性メモリに記憶させる手段、履歴情報表示指令を入力させるための入力手段、ならびに履歴情報表示指令が入力されたときに、不揮発性メモリに記憶されている履歴情報を表示させる手段を備えていることを特徴とする。
【０００６】
請求項２に記載の発明は、複写ジョブを開始するに際してユーザ名の入力を要求する機能を備えた複写機において、複写物の排出トレイ、排出トレイから複写物が取り除かれたことを検出する検出手段、複写ジョブ毎に得られるジョブ開始時刻、ジョブ完了時刻ならびにユーザ名と、検出手段によって排出トレイから複写物が取り除かれたことが検出された時刻とを履歴情報として不揮発性メモリに記憶させる手段、履歴情報表示指令を入力させるための入力手段、履歴情報表示指令が入力されたときに、不揮発性メモリに記憶されている履歴情報を表示させる手段を備えていることを特徴とする。
【０００７】
請求項３に記載の発明は、複写ジョブを開始するに際して部門名の入力を要求する機能を備えた複写機において、複写物の排出トレイ、排出トレイから複写物が取り除かれたことを検出する検出手段、複写ジョブ毎に得られるジョブ開始時刻、ジョブ完了時刻ならびに部門名と、検出手段によって排出トレイから複写物が取り除かれたことが検出された時刻とを履歴情報として不揮発性メモリに記憶させる手段、履歴情報表示指令を入力させるための入力手段、履歴情報表示指令が入力されたときに、不揮発性メモリに記憶されている履歴情報を表示させる手段を備えていることを特徴とする。
【発明の効果】
【０００８】
この発明によれば、自己の印刷物を誤って取り去った他人が誰かを推定できるようになる。
【発明を実施するための最良の形態】
【０００９】
以下、図面を参照して、この発明の実施例について説明する。
【実施例１】
【００１０】
図１は、印刷システムの構成を示している。
【００１１】
１台のプリンタ１に複数台のＰＣ２がＬＡＮ３を介して接続されている。
【００１２】
プリンタ１は、ＣＰＵ１０によって制御される。ＣＰＵ１０には、そのプログラム等を記憶するＲＯＭ１１、必要なデータを記憶するＲＡＭ１２、履歴情報等を記憶する不揮発性メモリ１３、ＬＡＮインターフェース１４、画像処理部１５、プリンタエンジン１６、時計１７、操作表示部１８、印刷物除去検知センサ１９等が接続されている。
【００１３】
ＰＣ２からの付加データを含む印刷指令および印刷データは、ＬＡＮ３およびＬＡＮインターフェース１４を介してプリンタ１に入力される。この実施例では、付加データには、ＰＣ名、ユーザ名、印刷枚数等の情報が含まれている。
【００１４】
プリンタ１に入力された印刷データは一時的にＲＡＭ１２に格納された後、画像処理部１５で所定の画像処理が施された後、プリンタエンジン１６によって印刷処理される。印刷処理によって得られた印刷物は、図示しない排出トレイ上に排出される。
【００１５】
印刷物除去検知センサ１９は、排出トレイ上の印刷物が取り除かれたことを検出するためのセンサであり、たとえば、特開平５−２９４５４７号公報の図２に示されているような検知手段が用いられる。
【００１６】
ＣＰＵ１０は、図２に示すように、印刷ジョブ毎に、印刷データの受け付け時刻（ジョブ受付時刻）、印刷物の排出完了時刻（ジョブ完了時刻）、ＰＣ名、ユーザ名（ＰＣユーザ名）および印刷枚数を不揮発性メモリ１３に記憶させる。また、ＣＰＵ１０は、図２に示すように、印刷物除去検知センサ１９によって排出トレイ上の印刷物が取り除かれたことが検知されたときには、その時刻（印刷物除去時刻）およびその旨を不揮発性メモリ１３に記憶させる。不揮発性メモリ１３に記憶された図２に示すような情報を、印刷履歴情報ということにする。
【００１７】
印刷履歴情報は、操作表示部１８上の所定のキー（履歴表示キー）をＰＣユーザが操作することによって、操作表示部１８に表示される。印刷履歴情報表示は、あるＰＣユーザが自己の印刷物（自己が印刷指令を出力することによって印刷された印刷物）を取りに行ったときに、他人によって当該印刷物が誤って取り去られてしまっている場合に、自己の印刷物を誤って取り去った者を推定するために役立つ。
【００１８】
例えば、図２にＵＳＥＲ００１で示されるＰＣユーザが、１１：１０頃に、印刷データ受け付け時刻が１０：０９と１０：５２に対応する自己の印刷物をプリンタ１の設置場所までとりにきたとする。そして、印刷データ受け付け時刻が１０：５２に対応する自己の印刷物は存在しているが、印刷データ受け付け時刻が１０：０９に対応する自己の印刷物が存在していなかったとする。このような場合には、当該ＰＣユーザが操作表示部１８上の履歴表示キーを操作することにより、図２に示すような内容の印刷履歴情報が操作表示部１８に表示される。
【００１９】
当該ＰＣユーザは、表示された印刷履歴情報から、印刷データ受け付け時刻が１０：０９に対応する自己の印刷物を取り去ったＰＣユーザが、ＵＳＥＲ００２、ＵＳＥＲ００４およびＵＳＥＲ００３のいずれかであると推定する。この推定に基づいて、他人に誤って取り去られた自己の印刷物を取り戻すことができる。
【００２０】
なお、この発明は、上記のようなプリンタの他、複写ジョブを開始させる際にユーザ名（ユーザコード）の入力を要求する機能を備えた複写機や複写ジョブを開始させる際に部門名（部門管理コード）の入力を要求する機能を備えた複写機にも適用することができる。複写機にこの発明を適用する場合にも、排出トレイ上の印刷物が取り除かれたことを検出するための印刷物除去検知センサを設ける必要がある。
【００２１】
複写ジョブ毎にユーザ名（ユーザコード）を入力させる複写機においては、図２の印刷データの受け付け時刻の代わりに複写ジョブ開始時刻（ジョブ開始時刻）が用いられるとともに、ＰＣ名およびユーザ名（ＰＣユーザ名）の代わりに当該複写ジョブに際して複写機に入力されたユーザ名（ユーザコード）が用いられる。
【００２２】
複写ジョブ毎に部門名（部門管理コード）を入力させる複写機においては、図２の印刷データの受け付け時刻の代わりに複写ジョブ開始時刻（ジョブ開始時刻）が用いられるとともに、ＰＣ名およびユーザ名（ＰＣユーザ名）の代わりに当該複写ジョブに際して複写機に入力された入力された部門名（部門管理コード）が用いられる。
【図面の簡単な説明】
【００２３】
【図１】印刷システムの構成を示すブロック図である。
【図２】印刷履歴情報を示す模式図である。
【符号の説明】
【００２４】
１  プリンタ
２  ＰＣ
３  ＬＡＮ
１０  ＣＰＵ
１１  ＲＯＭ
１２  ＲＡＭ
１３  不揮発性メモリ
１９  印刷物除去検知センサ
【図１】
2005205768.tif 000003
【図２】
2005205768.tif 000004